(57)【特許請求の範囲】
【請求項１】
キャビネットの本体フレームに外装パネルを固定するために外装パネルに配置されるラッチ錠であって、錠ケースの内部に、本体フレームに対して出没可能なラッチ体と、このラッチ体を操作する操作レバーと、この操作レバーの移動を禁止できるロック機構とを備え、このロック機構は、キャビネット内面側の錠ケース表面に露出する移動可能な操作端を備え、この操作端をドライバ先端を係合させるための段部を備えたものとしたものであることを特徴とするラッチ錠。
【請求項２】
移動可能な操作端が、シーソー式、押しボタン式、スライド式、回転式の何れかであることを特徴とする請求項１記載のラッチ錠。
【請求項３】
操作端が押圧により操作されるものであることを特徴とする請求項１または２に記載のラッチ錠。
【発明の詳細な説明】
【技術分野】
【０００１】
本発明は、電子機器収納用キャビネットの本体フレームに外装パネルを固定するために用いられるラッチ錠に関するものである。
【背景技術】
【０００２】
電子機器収納用キャビネットの多くは、本体フレームに扉や外装パネルを取り付けた構造を採用しており、外装パネルはそのコーナー部のラッチ錠によって本体フレームに固定されている。このためのラッチ錠は本出願人の特許文献１に示されるように、操作レバーによって操作されるラッチ体を備えたものである。このうち操作レバーはキャビネットの外面に露出し、ラッチ体はキャビネットの内面で本体フレームの係止孔に係合されるようになっている。
【０００３】
特許文献１のラッチ錠は、錠ケースのキャビネット外面側に操作レバーの係止手段を備えている。このため、キャビネット外面側から係止手段を解除すれば、外装パネルを取り外すことが可能となる。従って扉を鎖錠してあっても内部機器へのアクセスが可能となり、機密保持等の観点からは好ましくない。
【０００４】
そこで特許文献２に示されるように、ラッチ体を鎖錠位置（本体フレームの係止孔に係合された位置）に固定するためのロック機構をキャビネットの内面側に設けたラッチ錠が提案されている。この特許文献２のラッチ錠は、錠ケースにキャビネットの内面側から着脱式のロックピンを差し込むことによってラッチ体を鎖錠位置にロックできるようにしたものである。このため、キャビネットの内側からラッチ錠をロックし、外側から外装パネルを取り外すことができないようにすることができる。
【０００５】
ところが、キャビネットの内部に多くの内部機器が装着された状態となると、キャビネットのコーナー部に位置するラッチ錠にロックピンを差し込んだり、抜き取ったりする作業は、周囲にスペースがないため非常に行いにくくなるという問題があった。
【特許文献１】特開２００２−４６８６号公報
【特許文献２】特開２００４−２５１０５５号公報
【発明の開示】
【発明が解決しようとする課題】
【０００６】
本発明は上記した従来の問題点を解決して、キャビネットの内部に多くの内部機器が装着されて周囲にスペースがない状態においても、キャビネットの内側から容易にロックあるいはアンロックの切り替えができるラッチ錠を提供するためになされたものである。
【課題を解決するための手段】
【０００７】
上記の課題を解決するためになされた本発明は、キャビネットの本体フレームに外装パネルを固定するために外装パネルに配置されるラッチ錠であって、錠ケースの内部に、本体フレームに対して出没可能なラッチ体と、このラッチ体を操作する操作レバーと、この操作レバーの移動を禁止できるロック機構とを備え、このロック機構は、キャビネット内面側の錠ケース表面に露出する移動可能な操作端を備え、この操作端をドライバ先端を係合させるための段部を備えたものとしたことを特徴とするものである。この移動可能な操作端は、シーソー式、押しボタン式、スライド式、回転式の何れかとすることができる。また、操作端は押圧により操作されるものとすることが好ましい。
【発明の効果】
【０００８】
本発明のラッチ錠は、キャビネット内面側の錠ケース表面に露出するシーソー式、押しボタン式、スライド式、回転式などの移動可能な操作端を備え、かつこの操作端をドライバ先端を係合させるための段部を備えたものとしたものであるから、ドライバ等の先端により操作端を容易に操作することができる。このため、多くの内部機器が装着されて周囲にスペースがない状態においても、キャビネットの内側からラッチ錠のロックまたはアンロックの切り替えを容易に行うことができ、ロック状態で外側から外装パネルを取り外すことができないようにすることができる。
以下に本発明の好ましい実施形態を示す。
【発明を実施するための最良の形態】
【０００９】
図１〜図５は本発明の第１の実施形態を示すもので、図１は本発明のラッチ錠をキャビネット内面側となる方向から見た斜視図、図２はキャビネット外面側となる方向から見た分解斜視図、図３〜図５は使用状態を示す断面図である。
【００１０】
１はラッチ錠の錠ケースであり、キャビネット外面側の端面にフランジ２を備え、側面に弾性係止爪３を備えている。錠ケース１はこれらのフランジ２と弾性係止爪３により、図３に示すように外装パネル４のラッチ錠取り付け孔に取り付けられている。
【００１１】
錠ケース１の内部には、キャビネットの本体フレーム５に対して出没可能なラッチ体６が設けられている。このラッチ体６は錠ケース１の内部にスライド可能に設けられており、スプリングによって図５に示す後退位置の方向に弾発されている。しかし錠ケース１の内部のフランジ２側にはラッチ体６を操作する操作レバー７が軸８を中心として揺動可能に設けられており、この操作レバー７の段部９がラッチ体６の突起１０に係合できるようになっている。
【００１２】
このため図５の状態から操作レバー７を図４のように押し込むと、ラッチ体６は図４に示す位置まで前進し、本体フレーム５の係合孔１１に挿入される。この状態では外装パネル４は本体フレーム５に固着される。なお１２は操作レバー７を図４の押し込み位置に保持するための係止手段である。この係止手段１２は錠ケース１の内部に軸１３により枢着されており、その突起１４を操作レバー７の外側段部１５に係合させることによって、操作レバー７を図３、図４の位置に保持させることができる。しかしこの係止手段１２の操作はキャビネットの外面から行えるので、操作レバー７を操作してラッチ体６を図５のように後退させ、外装パネル４を本体フレーム５から取り外せることは前述の通りである。
【００１３】
そこで本発明では、操作レバー７の移動を禁止または許容するロック機構１６を、キャビネット内面側に設けてある。ロック機構１６は錠ケース１に内蔵されたものであり、キャビネット内面側の錠ケース表面に露出する移動可能な操作端１７を備えたものである。
【００１４】
この実施形態では、ロック機構１６は図２に示されるように板状体１８の側面に腕１９を突設したもので、中央両側の一対の軸２０によって錠ケース１に揺動可能に枢着されている。腕１９の先端には突起２１が設けられており、板状体が図３に示すように揺動されたとき、操作レバー７の周面の凹部２２に嵌り込み、この状態では操作レバー７の移動を禁止できるようになっている。操作端１７である板状体１８の表面には図１に示すようにドライバ先端を係合させるための段部が形成されるとともにOPENとLOCKの表示が設けられ、軸２０を中心とするシーソー式ロック機構を構成している。なお、OPENとLOCKの２位置で安定させることができるよう、腕１９には位置決め用突起２３が突設されており、図６に示すように錠ケース１の内面の位置決め用凹部２４と弾性的に係合させてある。
【００１５】
このように構成された第１の実施形態のラッチ錠は、図４のようにラッチ体６の先端を本体フレーム５の係合孔１１に挿入させ、外装パネル４を本体フレーム５に固着するために用いられることは従来のものと同様である。しかしシーソー式の操作端１７をキャビネット内面側の錠ケース表面に露出させてあるので、図７に示すようにドライバ等の先端で板状体１８をLOCK側に押せば、図３のように腕１９の突起２１が操作レバー７の凹部２２に嵌り込み、操作レバー７の移動を禁止する。
【００１６】
またドライバ等の先端で板状体１８をOPEN側に押せば、腕１９の突起２１が操作レバー７の凹部２２から外れて図４の状態となるので、キャビネットの外側から操作レバー７を操作して図３のようにラッチ体６を後退させ、外装パネル４を本体フレーム５から取り外すことが可能となる。
【００１７】
このようなロック機構１６の操作はキャビネット内面側においてのみ可能であるから、ラッチ錠をロック状態としておけば、キャビネット外面側から係止手段を解除して外装パネル４を取り外すことは不可能となる。しかもロック機構１６は、キャビネット内面側の錠ケース表面に露出するシーソー式の操作端１７を内蔵したものであるから、多くの内部機器が装着されて周囲にスペースがない状態においても、ドライバ等の先端で容易にロック機構１６を操作することができ、操作性がよいという大きな利点がある。また図８に示すように、本体フレーム５とキャビネット内部に設けられた機器取付レール５５との間隔が狭い場合にも、同様の効果がある。さらに、押圧により操作端を操作できるので、ドライバ等の先端でロック機構１６を押圧するだけでロックあるいはアンロックの切り替えを行うことができる。
【００１８】
図９と図１０は本発明の第２の実施形態を示すもので、第１の実施形態におけるシーソー式の操作端１７をドライバ先端の係合用段部を備えた二つのボタン状突起とし、キャビネット内面側の錠ケース１の表面に露出させたものである。その他の構成は第１の実施形態と同一であるから、対応する部分に同一の番号を付けて説明を省略する。
【００１９】
図１１〜図１３は参考形態を示すもので、ロック機構１６の操作端１７を単一の押しボタン式としたものである。これはノック式ボールペンに用いられている押し込み位置と前進位置の２箇所で安定する機構を転用したものである。この機構は、円筒の周面に傾斜溝を備えた第１部材３１と、外周面にこの傾斜溝に嵌合できる突起３２を備えた第２部材と、この第２部材を押圧する第３部材３３と、バネ３４とからなり、第３部材３３が操作端１７としてキャビネット内面側の錠ケース１の表面に露出している。
【００２０】
第２部材は押圧される度に回転し、その突起３２は傾斜溝の浅い位置と深い位置の２位置で安定する。また、第２部材の奥側にはスライド片３５が設けられており、その傾斜孔３６に第２部材の突起３７が係合している。図１２、図１３の状態ではスライド片３５の先端が操作レバー７の凹部２２に係合しているため、操作レバー７の移動は不可能である。しかしドライバの先端等によって第３部材３３を押し込めば第２部材は後退し、スライド片３５は図１２の右方向に移動して操作レバー７の凹部２２から離れる。
【００２１】
このように、参考形態においてもキャビネット内面側の錠ケース１の表面に露出している操作端１７をドライバの先端等によって操作するだけで、操作レバー７のロックまたはアンロックの切り替えを行うことができる。
【００２２】
図１４と図１５は本発明の第３の実施形態を示すもので、ロック機構１６の操作端１７をスライド式としたものである。この実施形態ではスライド片４１に操作レバー７の凹部２２に係合できる突起４２が突設されている。そしてこのスライド片４１は錠ケース１の裏面の突起（図示せず）により、突起４２が凹部２２に係合した位置と、突起４２が凹部２２から離脱した位置との２位置で安定できるように構成されている。またスライド片４１の表面がキャビネット内面側の錠ケース１の表面に露出している。このため、ドライバの先端等によってスライド片４１を操作するだけで、操作レバー７のロックまたはアンロックの切り替えを行うことができる。
【００２３】
図１６〜図１８は本発明の第４の実施形態を示すもので、ロック機構１６の操作端１７を回転式としたものである。この実施形態では軸５１を中心として揺動できるアーム５２が錠ケース１の内部に設けられており、揺動したときアーム５２の先端の突起５３が操作レバー７の凹部２２に係合し、操作レバー７のロックが行なわれる。軸５１の先端は錠ケース１の壁を貫通し、図１６に示されるような回転式のレバー５４が設けられている。このため、ドライバの先端等によってレバー５４を操作するだけで、操作レバー７のロックまたはアンロックの切り替えを行うことができる。
【００２４】
以上に示したように、本発明のラッチ錠は、キャビネット内面側の錠ケース表面に露出する移動可能な操作端を備えたものであるから、多くの内部機器が装着されて周囲にスペースがない状態においても、ドライバ等の先端により操作端を操作し、ロックとアンロックの切り替えが容易にできる利点がある。
【図面の簡単な説明】
【００２５】
【図１】第１の実施形態のラッチ錠をキャビネット内面側となる方向から見た斜視図である。
【図２】キャビネット外面側となる方向から見た分解斜視図である。
【図３】ロック状態を示す断面図である。
【図４】アンロック状態を示す断面図である。
【図５】ラッチ体を後退させた状態を示す断面図である。
【図６】ロック状態を示す一部切欠斜視図である。
【図７】ドライバによる操作状態を示す斜視図である。
【図８】ドライバによる操作状態を示す断面図である。
【図９】本発明の第２の実施形態を示す斜視図である。
【図１０】断面図である。
【図１１】本発明の参考形態を示す斜視図である。
【図１２】断面図である。
【図１３】分解斜視図である。
【図１４】本発明の第３の実施形態を示す斜視図である。
【図１５】断面図である。
【図１６】本発明の第４の実施形態を示す斜視図である。
【図１７】分解斜視図である。
【図１８】断面図である。
【符号の説明】
【００２６】
１  錠ケース
２  フランジ
３  弾性係止爪
４  外装パネル
５  本体フレーム
６  ラッチ体
７  操作レバー
８  軸
９  段部
１０  突起
１１  係合孔
１２  係止手段
１３  軸
１４  突起
１５  外側段部
１６  ロック機構
１７  移動可能な操作端
１８  板状体
１９  腕
２０  軸
２１  突起
２２  凹部
２３  位置決め用突起
２４  位置決め用凹部
３１  第１部材
３２  突起
３３  第３部材
３４  バネ
３５  スライド片
３６  傾斜孔
３７  突起
４１  スライド片
４２  突起
５１  軸
５２  アーム
５３  突起
５４  レバー
５５  機器取付レール
【図１】
0004698369.tif 000002
【図２】
0004698369.tif 000003
【図３】
0004698369.tif 000004
【図４】
0004698369.tif 000005
【図５】
0004698369.tif 000006
【図６】
0004698369.tif 000007
【図７】
0004698369.tif 000008
【図８】
0004698369.tif 000009
【図９】
0004698369.tif 000010
【図１０】
0004698369.tif 000011
【図１１】
0004698369.tif 000012
【図１２】
0004698369.tif 000013
【図１３】
0004698369.tif 000014
【図１４】
0004698369.tif 000015
【図１５】
0004698369.tif 000016
【図１６】
0004698369.tif 000017
【図１７】
0004698369.tif 000018
【図１８】
0004698369.tif 000019